(57)【特許請求の範囲】
【請求項１】
着脱自在のキャップを有する本体筒と、該本体筒に摺動自在に内装し、雌ねじ付きのガイド筒を中央部に立設する受皿と、前記本体筒の下端に回転自在に装着し、下部の大径部と上部の小径部とを同軸状に形成する操作体とを備えてなり、該操作体は、前記小径部の上面中央部に立設するねじ軸を前記ガイド筒に下から貫通させ、前記ねじ軸の雄ねじと前記雌ねじとを介して前記受皿を昇降駆動する一方、前記受皿の下降限を規定する前記小径部の上面、前記受皿の底面には、それぞれ互いに重なり合って上下に連通する原液の注入孔を形成し、前記受皿の底面には、前記小径部に弾発的に嵌合するシール用のスカート部を垂設することを特徴とする固形剤の収納容器。
【請求項２】
前記大径部は、外周の少なくとも一部が前記本体筒の周方向に突出することを特徴とする請求項１記載の固形剤の収納容器。
【請求項３】
前記大径部の天面には、シールを貼着することを特徴とする請求項１または請求項２記載の固形剤の収納容器。
【発明の詳細な説明】
【技術分野】
【０００１】
この発明は、固形接着剤、艶出剤、制汗剤、消炎鎮痛剤、化粧品などの固形剤を繰り出して使用し、使用後、固形剤を収納することができる固形剤の収納容器に関する。
【背景技術】
【０００２】
固形剤を収納し、必要に応じて繰り出して使用する収納容器が知られている（たとえば特許文献１）。
【０００３】
このものは、本体筒と、本体筒に摺動自在に内装する受皿と、受皿を昇降駆動する操作体とを備えており、受皿の底面には、雄ねじ付きの注入筒が垂設され、操作体には、注入筒の雄ねじに螺合する雌ねじ付きの駆動筒が立設されている。また、操作体は、ガイド筒の下端に回転自在に装着されており、本体筒の下部には、同軸状に組み合わせる受皿側の注入筒、操作体側の駆動筒を収納するガイド筒が一体に形成されている。
【０００４】
そこで、このものは、操作体を介して受皿を下降限にまで下降させ、全体を倒立させて注入筒から原液を注入して固化させることにより、受皿上に固形剤を載せるようにして本体筒に収納することができる。なお、原液を注入する際には、本体筒の上端に取外し可能な型蓋を装着するものとし、型蓋の内面形状により、固形剤の上端の形状を適切に成形することができる。全体を正立させて原液を受皿の上側から注入して固化させると、固化時の体積収縮により固形剤の上端面が凹形になり、商品価値を低下させがちであるが、全体を倒立させて受皿の下側から原液を注入して固化させることにより、このような問題を解決することができる。
【特許文献１】特開２００２−２８２０４４号公報
【発明の開示】
【発明が解決しようとする課題】
【０００５】
かかる従来技術によるときは、受皿に垂設する注入筒は、原液の注入時間を短くするために大径にしなければならないので、その内部で固化する相当量の固形剤が使用できずに無駄になってしまう上、その長さも、受皿の昇降ストロークを必要十分に確保するために本体筒の全長の約１／２に設定する必要があるので、本体筒の全容積に対して固形剤の収納量が小さく制限されてしまい、収納容器としての収納効率が小さいという問題が避けられない。また、型蓋は、固形剤の使用を開始するに際して取り除かなければならないが、その取外しが必ずしも簡単でない上、その材料費、型代などに無駄なコストを要するという問題もあった。
【０００６】
そこで、この発明の目的は、かかる従来技術の問題に鑑み、受皿の下降限を規定する操作体の上面、受皿の底面に原液の注入孔を形成することによって、収納容器としての収納効率を向上させるとともに、型蓋を設けることなく受皿の下側から原液を注入して固化させることができる固形剤の収納容器を提供することにある。
【課題を解決するための手段】
【０００７】
かかる目的を達成するためのこの発明の構成は、着脱自在のキャップを有する本体筒と、本体筒に摺動自在に内装し、雌ねじ付きのガイド筒を中央部に立設する受皿と、本体筒の下端に回転自在に装着し、下部の大径部と上部の小径部とを同軸状に形成する操作体とを備えてなり、操作体は、小径部の上面中央部に立設するねじ軸をガイド筒に下から貫通させ、ねじ軸の雄ねじと雌ねじとを介して受皿を昇降駆動する一方、受皿の下降限を規定する小径部の上面、受皿の底面には、それぞれ互いに重なり合って上下に連通する原液の注入孔を形成し、受皿の底面には、小径部に弾発的に嵌合するシール用のスカート部を垂設することをその要旨とする。
【０００８】
なお、大径部は、外周の少なくとも一部が本体筒の周方向に突出することができ、大径部の天面には、シールを貼着することができる。
【発明の効果】
【０００９】
かかる発明の構成によるときは、操作体は、ねじ軸を受皿のガイド筒に下から貫通させ、ねじ軸の雄ねじをガイド筒の雌ねじに螺合させることにより、受皿を昇降駆動することができる。一方、受皿は、底面が操作体の上面に当接する下降限にまで下降させると、底面の注入孔が操作体の上面の注入孔と重なり合って上下に連通するから、そのまま全体を倒立させ、本体筒の上端のキャップと、受皿との間に原液を注入して固化させることができる。なお、受皿は、本体筒の内部を軸方向に昇降し、本体筒に対して相対回転しないように、たとえば本体筒の内面に軸方向に形成する係合リブを受皿の外周の係合溝に係合させ、回り止めすることが好ましい。また、受皿のガイド筒は、受皿の底面の中央部に上下に貫通するように立設するものとする。受皿の下降限は、操作体の上面によって規定されるから、受皿を下降限に下降させると、受皿の下のスペースを最少にして収納容器としての収納効率を向上させることができる上、本体筒のキャップを利用して原液を固化させるので、型蓋を設ける必要もない。
【００１０】
本体筒は、単純な円筒状であってもよく、また、楕円筒や、角筒などであってもよい。このとき、受皿は、その全周が本体筒の内周に摺接するように、本体筒とほぼ同形に形成することが好ましいが、受皿を内装する内筒を本体筒の内部に形成すれば、本体筒の外形と、受皿の形状、すなわち固形剤の外形とを異ならせることも可能である。ただし、操作体は、少なくとも外周の一部が本体筒の周方向に突出する下部の大径部と、本体筒の下部に進入させる上部の小径部とを有する段付きの円筒体とし、小径部の上面にねじ軸を立設することにより、大径部を介して円滑に回転操作して受皿を昇降させ、受皿上の固形剤を本体筒から出没させることができる。なお、受皿の底面に設けるスカート部は、操作体の上部の小径部に嵌合することにより、注入時に受皿の底面上に溢れた原液が小径部の外部に流れ出たりする不都合を防止することができる。
【発明を実施するための最良の形態】
【００１１】
以下、図面を以って発明の実施の形態を説明する。
【００１２】
固形剤の収納容器は、円筒状の本体筒１０と、本体筒１０に摺動自在に内装する受皿２０と、本体筒１０の下端に回転自在に装着する操作体３０とを備えてなる（図１）。なお、本体筒１０には、ねじ式のキャップ４０が着脱自在に付設されている。
【００１３】
本体筒１０の下端には、内フランジ１１ａを介し、上向きに折り返すようにして短い筒部１１が形成されている。内フランジ１１ａの下面には、リング状の係合突条１１ｂが形成され、筒部１１の内周には、上向きの係合リブ１１ｃが形成されている。また、本体筒１０の内面には、相対向する上下方向の係合リブ１２、１２が本体筒１０の全長に亘って形成されている。ただし、図１には、一方の係合リブ１２のみが図示されている。本体筒１０の上端部外周には、キャップ４０用の雄ねじ１３、ネックリング１４が形成されている。
【００１４】
受皿２０は、円形の皿２１の底面中央部に雌ねじ２２ａ付きのガイド筒２２を立設して形成されている（図１、図２）。ただし、図２（Ａ）、（Ｂ）、（Ｃ）は、それぞれ受皿２０の上面図、部分断面側面図、上面斜視図である。
【００１５】
皿２１は、本体筒１０に弾発的に内装し得るように、本体筒１０の内径に適合する外径を有する。ただし、皿２１の外縁は、上端部に最大外径を有し、下半部に最小外径を有し、両者の間は、直線的に縮径されている。また、皿２１の外周には、本体筒１０側の係合リブ１２、１２に適合する係合溝２３、２３が上下方向に形成され、本体筒１０内の受皿２０は、係合リブ１２、１２、係合溝２３、２３を介して回り止めされている。
【００１６】
皿２１の底面には、リング状のスカート部２４が垂設されている。スカート部２４は、上から下に向けて内径を滑らかに拡大することにより、下端部が最小の薄肉に形成されている。また、皿２１の底面には、皿２１の外縁とガイド筒２２とを連結する放射状の仕切板２５ａ、２５ａ…を介し、扇形の注入孔２５、２５…が開口されている。さらに、各注入孔２５の外側と外縁との間の底面上には、外側に湾曲するように傾き、周方向に円弧状の係合片２６、２６…が全体として円形に配列されて立設されている。なお、ガイド筒２２は、皿２１の外縁と同一高さに形成され、上下に貫通するガイド筒２２の雌ねじ２２ａの下端には、下向きにラッパ状に開くガイド部２２ｂが形成され、上端には、短い大径の開拡部２２ｃが形成されている。
【００１７】
操作体３０は、下部の大径部３１、上部の小径部３２を同軸状に一体に形成する段付きの円筒体の上面中央部にねじ軸３３を上向きに立設して形成されている（図１、図３）。ただし、図３（Ａ）、（Ｂ）は、それぞれ操作体３０の上面斜視図、下面斜視図である。
【００１８】
本体筒１０の外径よりやや大径の大径部３１の外周には、滑り止め用の凹部３１ａ、３１ａ…が上下方向に形成され、内周には、補強リブ３１ｂが形成されている。また、大径部３１の上面には、本体筒１０側の係合突条１１ｂに対応するリング状の係合溝３１ｃが形成されている。本体筒１０の筒部１１の内径に適合する小径部３２の外周には、本体筒１０側の係合リブ１１ｃに対して上側から弾発的に係合する下向きの係合リブ３２ａが形成されている。小径部３２の上面には、放射状の仕切板３４ａ、３４ａ…を介し、扇形の注入孔３４、３４…が開口されている。なお、小径部３２の上面に立設するねじ軸３３の雄ねじ３３ａは、受皿２０のガイド筒２２の雌ねじ２２ａに適合しており、操作体３０の注入孔３４、３４…は、受皿２０の注入孔２５、２５…に対応させて注入孔２５、２５…と同形同大に形成されている。また、受皿２０のスカート部２４は、小径部３２の上部に弾発的に嵌合可能である。
【００１９】
小径部３２には、浅い円形皿状の底蓋３５を下側から押し込むようにして装着することができる（図１）。小径部３２の内周下部には、底蓋３５の底面を周方向に突出させる外向きの突部３５ａを収納して底蓋３５を抜止めするために、係合凹部３２ｂが形成されている（図３（Ｂ））。
【００２０】
操作体３０は、ねじ軸３３の雄ねじ３３ａを本体筒１０内の受皿２０の雌ねじ２２ａに螺合させ（図１）、小径部３２を本体筒１０の下端の筒部１１に進入させると、係合リブ３２ａ、１１ｃが上下に弾発的に係合することにより、本体筒１０の下端に回転自在に装着することができる。なお、このとき、大径部３１の上面は、本体筒１０の内フランジ１１ａの下面に当接し、前者の係合溝３１ｃに後者の係合突条１１ｂが係合して操作体３０の心ずれを防止する。そこで、大径部３１を介して操作体３０を正逆に回転操作すると、雄ねじ３３ａ、雌ねじ２２ａを介し、受皿２０を本体筒１０の内部に昇降させることができる。受皿２０の下降限は、受皿２０の底面が操作体３０の小径部３２の上面に当接することにより規定され、このとき、受皿２０側のスカート部２４は、小径部３２の上部に弾発的に嵌合して小径部３２の上部外周をシールし、受皿２０側の注入孔２５、２５…、操作体３０側の注入孔３４、３４…は、互いに重なり合って上下に連通する。
【００２１】
キャップ４０には、本体筒１０側の雄ねじ１３に適合する雌ねじ４１が形成されている。キャップ４０の外周には、滑り止め用のローレット４２、４２…が形成され、キャップ４０は、本体筒１０の上端を液密に封止することができる。
【００２２】
かかる固形剤の収納容器は、操作体３０を介して受皿２０を下降限にまで下降させ、キャップ４０を本体筒１０に装着した状態で全体を倒立させ（図４）、操作体３０、受皿２０の注入孔３４、３４…、２５、２５…を介して本体筒１０内に原液Ｗ1 を注入することができる（図４（Ａ）の矢印方向）。なお、このとき、単一の注入ノズルを使用して、上下に連通する１組の注入孔３４、２５を使用してもよく、複数の注入ノズルを使用して複数組の注入孔３４、３４…、２５、２５…を同時に使用してもよい。原液Ｗ1 は、たとえば操作体３０側の注入孔３４の中間レベルにまで注入し（図４（Ｂ））、底蓋３５を操作体３０の小径部３２に装着してそのまま固化させる。ただし、底蓋３５は、原液Ｗ1 が固化してから装着しても構わない。
【００２３】
なお、原液Ｗ1 は、固化すると体積が収縮して液面が下がる傾向にある。そこで、原液Ｗ1 の注入レベルは、全体を正立させたときの固化後の固形剤Ｗの下面が受皿２０の各注入孔２５の中間レベルに留まるように（図５）、適切に設定することが好ましい。原液Ｗ1 の注入量が不足して固形剤Ｗの下面が受皿２０の底面より上方に位置すると、係合片２６、２６…による固形剤Ｗの固定機能が阻害されるおそれがある。ただし、図５は、キャップ４０を取り外し、操作体３０を回転操作して受皿２０を上昇させ、原液Ｗ1 が固化した固形剤Ｗを本体筒１０の上端から突出長さＬだけ突出させる使用状態を図示している。固形剤Ｗの内部には、ねじ軸３３の雄ねじ３３ａによる雌ねじＷa が形成されており、雌ねじＷa は、受皿２０側の雌ねじ２２ａと正確に連続している。なお、図５の部分断面図は、本体筒１０の係合リブ１２、受皿２０の係合溝２３の位置を外して図示されている。
【００２４】
本体筒１０からの固形剤Ｗの突出長さＬは、操作体３０を正逆に回転操作することにより任意に設定することができる。そこで、使用によって固形剤Ｗが減耗するに従い、固形剤Ｗを逐次繰り出せばよく、固形剤Ｗは、受皿２０内に少量を残すだけで、その全量を実質的に使い切ることができる。また、使用後の固形剤Ｗは、受皿２０を下降させて本体筒１０内に収納し、キャップ４０を装着して次回の使用に備える。
【他の実施の形態】
【００２５】
受皿２０の底面、操作体３０の小径部３２の上面は、互いに密接可能な上向きの円錐形に形成することができる（図６）。受皿２０側の各注入孔２５、小径部３２側の各注入孔３４をそれぞれ本体筒１０の軸方向に形成することにより、全体を倒立させて原液Ｗ1 を注入するとき、本体筒１０内のエアを原液Ｗ1 と円滑に置換することができる。ただし、図６において、各注入孔２５、３４は、それぞれ受皿２０の底面、小径部３２の上面の母線方向に同幅に開口され、受皿２０の各係合片２６の外側の底面は、有害なエア溜りを生じないように、係合片２６の内側より高く形成されている。
【００２６】
以上の説明において、受皿２０側、操作体３０側の各注入孔２５、３４は、受皿２０の底面、小径部３２の上面において、互いに重なり合って原液Ｗ1 の注入に必要十分な開口面積を実現することができる限り、受皿２０、小径部３２の各周方向に任意の大きさ、個数を開口させることができる。また、各仕切板２５ａ、３４ａも、受皿２０、操作体３０の必要強度を実現できれば、それらの一方または双方の一部または全部を省略してもよい（図６）。
【００２７】
また、本体筒１０は、単純な円筒状に代えて、楕円筒、角筒などとしてもよい。このときの受皿２０は、本体筒１０とほぼ同形にしてもよく、本体筒１０内に形成する円筒状の内筒に内装する円形としてもよい。円筒状以外の本体筒１０を使用するとき、キャップ４０は、ねじ式に代えて、本体筒１０と同形の一挙動で着脱可能な係合式とすることが好ましい。また、操作体３０は、大径部３１の外周の少なくとも一部が本体筒１０の周方向に突出する段付きの円筒体に形成することができる。
【００２８】
なお、原液Ｗ1 を注入した後、底蓋３５を操作体３０の小径部３２に装着するに代えて、または、底蓋３５を小径部３２に装着するに加えて、接着剤付きのアルミニウム箔またはプラスチックフィルムなどのシール３６を大径部３１の天面に貼着してもよい（図５の二点鎖線）。
本体筒１０、受皿２０、操作体３０は、適切な弾性を有するたとえば高密度ポリエチレンなどにより一体成形し、キャップ４０は、たとえばポリプロピレンなどにより一体成形することができる。
【図面の簡単な説明】
【００２９】
【図１】全体構成一部断面図
【図２】受皿の構成説明図
【図３】操作体の構成説明図
【図４】動作説明図
【図５】使用状態説明図
【図６】他の実施の形態を示す図１相当図
【符号の説明】
【００３０】
Ｗ…固形剤
Ｗ1 …原液
１０…本体筒
２０…受皿
２２…ガイド筒
２２ａ…雌ねじ
２４…スカート部
２５…注入孔
３０…操作体
３１…大径部
３２…小径部
３３…ねじ軸
３３ａ…雄ねじ
３４…注入孔
４０…キャップ
特許出願人          伸晃化学株式会社
代理人  弁理士        松  田  忠  秋
【図１】
0004804071.tif 000002
【図２】
0004804071.tif 000003
【図３】
0004804071.tif 000004
【図４】
0004804071.tif 000005
【図５】
0004804071.tif 000006
【図６】
0004804071.tif 000007